(57)【特許請求の範囲】
【請求項１】
電気機械であって、回転可能なブラシプレート（１０）が設けられており、該ブラシプレート（１０）が、保持装置（１２）を介して軸方向（１４）で保持されている形式のものにおいて、
前記保持装置（１２）が、少なくとも１つの第１の手段（１８）で、ブラシプレート（１０）を、該ブラシプレートの終端位置において、これらの終端位置の間の大きさよりも小さな軸方向の自由運動性を有して保持していることを特徴とする、電気機械。
【請求項２】
前記保持装置（１２）が、終端位置の間の領域のための少なくとも１つの第１の手段（１８）を備えていて、かつ終端位置のための、該第１の手段（１８）から分離された少なくとも１つの第２の手段（１６）を備えている、請求項１記載の電気機械。
【請求項３】
前記第１の手段（１８）が、前記ブラシプレート（１０）の、電機子巻線（２０）とは反対側に配置されている、請求項２記載の電気機械。
【請求項４】
前記第２の手段（１６）が、少なくとも１つのフックから形成されている、請求項２または３記載の電気機械。
【請求項５】
前記第２の手段（１６）が、前記ブラシプレート（１０）の終端位置において、ケーシング（２２）の少なくとも一部に背面から係合している、請求項４記載の電気機械。
【請求項６】
前記第２の手段（１６）が、前記ブラシプレート（１０）に配置されている、請求項２から５までのいずれか１項記載の電気機械。
【請求項７】
前記第２の手段（１６）が、前記ブラシプレート（１０）に一体成形されている、請求項６記載の電気機械。
【請求項８】
前記第２の手段（１６）が、前記ブラシプレート（１０）の、半径方向内側領域に配置されている、請求項６または７記載の電気機械。
【請求項９】
請求項１から８までのいずれか１項記載の電気機械を備えた手持ち式工作機械。
【発明の詳細な説明】
【０００１】
【発明の属する技術分野】
本発明は、電気機械であって、回転可能なブラシプレートが設けられており、ブラシプレートが、保持装置を介して軸方向で保持されている形式のものに関する。
【０００２】
【従来の技術】
ブラシプレートが回転可能にケーシング部分のケーシング底部に支承されている電気機械において、ブラシプレートを、保持装置を介して軸方向で保持することが公知である。
【０００３】
【発明が解決しようとする課題】
本発明の課題は、冒頭で述べたような形式の電気機械を改良することである。
【０００４】
【課題を解決するための手段】
この課題を解決するための本発明の装置によれば、保持装置が、少なくとも１つの手段で、ブラシプレートを、該ブラシプレートの終端位置において、これらの終端位置の間の大きさよりも小さな軸方向の自由運動性を有して保持している。
【０００５】
【発明の効果】
本発明のように構成されていると、保持装置は終端位置の間で特にスムーズに可動に構成することができ、これによって特に電動手持ち式工作機械において運転方向切換時の操作快適性が高められる。高い操作快適性を有しているのもかかわらず、終端位置においてブラシプレートの特に小さな自由運動性が得られ、プリント基板に対する確実なコンタクトが保証される。このプリント基板は滑り接触を介してブラシプレートと作用的に接続されている。接触箇所の焼きは回避することができ、電気機械の故障は有利な形式で防止することができる。保守作業は低減可能で、コストを削減することができる。
【０００６】
さらに、保持装置が、終端位置の間の領域のための少なくとも１つの第１の手段を備えていて、かつ終端位置のための、第１の手段から分離された少なくとも１つの第２の手段を備えている、ということが提案される。有利には、これらの手段は所望の形式でそれぞれ個々の機能性を有して規定することができる。第１の手段が、終端位置の間の領域において、軸方向の自由運動性を有してブラシプレートを保持する場合、ブラシプレートのスムーズな走行を達成することができ、特に走行方向が切換機構によって可変である手持ち式工作機械では、使用者にとっての快適性を高めることができる。これに対して第２の手段はブラシプレートを終端位置で遊びなく保持するか、または僅かな軸方向の自由運動性を有して保持する。接触箇所の焼けは、有利な形式で回避することができ、電気機械の故障は防止することができる。
【０００７】
本発明の別の実施形態では、第１の手段が、ブラシプレートの、電機子巻線とは反対側に配置されている。第１の手段は、ケーシング部分に、特に手持ち式工作機械のグリップエレメントに配置することができ、ブラシプレートは構造的に簡単に終端位置の間において軸方向で保持することができる。存在する構造スペースは有利な形式で利用することができ、特に簡単に組付もしくは組み外し可能な装置が得られる。コスト、特に組付コストを削減することができる。
【０００８】
第２の手段がフックによって形成されていると、ブラシプレートは構造的に簡単な形式で遊びなしに、または僅かな軸方向自由運動性を有して有利な形式で構造部分に緊締することができる。さらにフックの使用によって、スペースを節減する小さな接触面を介してブラシプレートの緊締が得られる。有利には、ブラシプレートは、僅かな力で終端位置から弛めることができ、使用者にとっての快適性を高めることができる。
【０００９】
第２の手段は、ケーシング部分に、または専門家にとって有意義だと考えられる別の構造部分に配置することができる。しかしながら第２の手段がブラシプレートに配置されている場合、構造的に簡単で経済的な装置が達成され、この場合緊締のために２つの構造部分が協働すればよい。これによってブラシプレートは、軸方向で僅かな製作誤差で取り付けることができる。第２の手段は、専門家にとって有意義だと考えられる種々異なる伝力結合（kraftschluessige Verbindung）および／または形状結合および／または材料結合を介してブラシプレートに取り付けることができる。第２の手段がブラシプレートに一体成形されている場合、追加的な構造部分、組付上の手間およびコストは節減することができる。
【００１０】
第２の手段が、ブラシプレートの半径方向内側領域に配置されている場合、存在する構造スペースを利用することができ、存在する構造部分を有利な形式で使用することができる。
【００１１】
有利には、第２の手段が終端位置でケーシングの少なくとも一部に背面から係合している。この部分は、機械ケーシングの一部であってよく、またはモータケーシングの一部であってよい。追加的な構造部分、およびこれによって生じる製作誤差は回避することができる。この部分がモータケーシングの一部である場合、ブラシプレートは、有利な形式で予め組み付けることができる。
【００１２】
別の利点は、以下の説明から明らかである。以下の説明、請求の範囲および図面には、多数の特徴が組み合わせて記載されている。専門家は、これらの組み合わせを有利な形式で個別的に看取し、有利な別の組み合わせにまとめることができる。
【００１３】
【発明の実施の形態】
次に本発明の実施の形態を図示の実施例を用いて詳しく説明する。
【００１４】
図１には、ケーシング２２内に組み付けられた電動モータを備えた穿孔機が示されており、その回転方向２４、ひいては工具ホルダ２６に緊締された工具２８の回転方向は、切換レバー３０を介して選択可能である。切換レバー３０は、穿孔機の操作スイッチ３２の上方に配置されているので、使用者は、片手で操作スイッチ３２を操作し、穿孔機をスイッチオンまたはスイッチオフし、かつ工具２８の所望の回転方向２４を切換レバー３０によって選択することができる。穿孔機の、工具ホルダ２６に向いた側に、操作方向に対して垂直に延びる第１のハンドグリップ３４がケーシング２２に取り付けられている。ケーシング２２の、工具ホルダ２６とは反対側に、操作方向に対して垂直に延びる第２のハンドグリップ３６が配置されており、この第２のハンドグリップ３６はケーシング２２の一部を形成する。
【００１５】
切換レバー３０はシフトフォーク３８を備えており、このシフトフォーク３８は自由端部で、枢支ピン４０を形状結合で（formschluessig；形状による束縛）取り囲んでいる（図２および図４）。枢支ピン４０は、切換レバー３０に近傍の下位領域においてブラシプレート１０に一体成形されている。ブラシプレート１０は、回転可能にケーシング底部４２に支承されていて、かつ半径方向で電機子軸４４を取り囲んでいる。
【００１６】
ケーシング底部４２は、ブラシプレート１０に向いた側にプリント基板４６を備えており、このプリント基板４６は、ブラシプレート１０を、軸方向６６で工具ホルダ２６とは反対側に向かって保持装置１２の第１の手段１８に押圧する（図３）。ブラシプレート１０は、保持装置１２を介して軸方向１４で保持されるか、もしくは保持装置１２が保持力を方向１４で及ぼし、この場合保持装置１２は、終端位置の間の領域のための第１の手段１８と、第１の手段１８から分離された、終端位置のための第２の手段１６とから形成されている。第１の手段１８は、ブラシプレート１０の、電機子巻線２０とは反対側に配置されていて、かつブラシプレート１０の周に沿って分配された、軸方向で延びるウェブによって形成されており、これらのウェブはハンドグリップ３６の内面に一体成形されている。
【００１７】
第２の手段１６，１６′は、対角線上で対向して位置するブラシホルダ４８，４８′の領域に配置されたそれぞれ２つのフックから形成されており、これらのフックは、ブラシプレート１０に半径方向内側領域で一体成形されていて、かつスペースの節約された形式で巻線頭部（コイルエンド）６４の内室６２に突入している（図３および図４）。ブラシプレート１０の終端位置において、対角線上で対向して位置するそれぞれ２つのフックは、ケーシング２２の一部に、それもケーシング底部４２に背後から係合し、かつブラシプレート１０をケーシング底部４２に遊びなしに緊締しており、これに対して第１の手段１８は、ブラシプレート１０を終端位置の間において軸方向１４で軸方向の自由運動性を有して保持している。終端位置の間で、フックは、自由にケーシング底部４２の切欠５８，６０において運動する。
【００１８】
原則として、ブラシプレートは、斜面を介して軸方向で自由運動性を有して終端位置で緊締することもできる。斜面は、ブラシプレートの、第１の手段に向いた側またはブラシプレートと第１の手段とに一体成形することができる。
【００１９】
ブラシホルダ４８，４８′は、図示されていない、カーボンブラシ５０，５０′を受容するための切欠を備えている。カーボンブラシ５０，５０′は、ばねエレメント５２，５４によって半径方向内向きに整流子５６に対して押圧されている（図２および図４）。
【００２０】
第１の作業位置では、ブラシプレート１０は第１の終端位置に存在し、第２の手段１６はブラシプレート１０を遊びなしにケーシング底部４２に取り付けている。使用者によって切換スイッチ３０が操作されると、ブラシプレート１０はシフトフォーク３８と枢支ピン４０とを介して回転方向２４で回転される。第２の手段１６は、係合解除され、ブラシプレート１０は、軸方向１４で大きな軸方向の自由運動性を有して保持装置１２の第１の手段１８によって第２の終端位置に到達するまで保持される。第２の終端位置では、ブラシプレート１０は第２の手段１６′によって再び軸方向１４で遊びなく保持される。
【図面の簡単な説明】
【図１】穿孔機を概略的に示す側面図である。
【図２】図１の区分ＩＩを示す縦断面図である。
【図３】図２のＩＩＩ−ＩＩＩ線に沿った断面図である。
【図４】図２のＩＶ−ＩＶ線に沿った断面図である。
【符号の説明】
１０  ブラシプレート、  １２  保持装置、  １４  軸方向、  １６，１８  手段、  ２０  電機子巻線、  ２２  ケーシング、  ２４  回転方向、  ２６  工具ホルダ、  ２８  工具、  ３０  切換レバー、  ３２  操作スイッチ、  ３４，３６  ハンドグリップ、  ３８  切換フォーク、  ４０  枢支ピン、  ４２ケーシング底部、  ４４  電機子軸、  ４６  プリント基板、  ４８  ブラシホルダ、  ５０，５０′  カーボンブラシ、  ５２，５４  ばねエレメント、  ５６  整流子、  ５８，６０  切欠、  ６２  内室、  ６４  巻線ヘッド、  ６６  方向
【図１】
0004116396.tif 000002
【図２】
0004116396.tif 000003
【図３】
0004116396.tif 000004
【図４】
0004116396.tif 000005